(57)【要約】      （修正有）【課題】二股に分かれた指収納部が指股形成甲材と底材の二枚組で形成されて強度の強い靴、ウエ−ダ−の先端部構造を提供する。【解決手段】二股に分かれた指収納部が指股形成甲材６と底材２の二枚組で形成され、底材２上に材料としてはほぼ平面状に裁断された指股形成甲材６が固定される時は、指股形成甲材６の前側中心部６ａを押し込んで底材２の凹部２ｃに固定し、次に前側中心部６ａの左右６ｂ、６ｃを底材２の底部２ａの縁２ｄと底部２ｂの縁２ｅと側部２ｆと、側部２ｇに固定してゆく。このようにほぼ平面状に裁断された指股形成甲材６を底材２上に固定して行くと、甲材６が底材２側に撓んで上方に膨出した親指収納部と他の指収納部が形成される。【選択図】図５
2009207573.tif 000002
【特許請求の範囲】
【請求項１】
先端が親指収納部と他の指収納部に分かれた底材に甲材を直接接合して先端が親指収納部と他の指収納部に分かれた二股に形成したことを特徴とする靴、ウエ−ダ−の先端部構造。
【発明の詳細な説明】
【技術分野】
【０００１】
本発明は、二股に分かれた指先収納部が指先甲材と底材で形成された靴、ウエ−ダ−の先端部構造に関する。
【背景技術】
【０００２】
従来特許文献１のように靴の爪先は一つで中に双股と言われる仕切りを設けた靴がある。
この靴では親指と他の指は分離されて収納されるが、底材を含めて一つに形成されているので、岩場などで親指と他の指でそれぞれの動きを活かして歩行しようとしても出来ず、不安定な歩行に成っていた。
また靴の爪先を二股に分けた靴では、二股の部分を指先甲材と底材と二股補助材の三枚組で形成されているので、接合部分が多く強度が弱かった。
【特許文献１】実開平１−８１９０２号公報
【発明の開示】
【発明が解決しようとする課題】
【０００３】
解決しようとする問題点は、靴の爪先が一つでは岩場などで親指と他の指でそれぞれの動きを活かして歩行しようとしても出来ず、不安定な歩行になることである。
また三枚組で形成された靴では強度が弱いことである。
【０００４】
本発明の目的は前記欠点に鑑み、二股に分かれた指先収納部が指股形成甲材と底材の二枚組で形成されて強度の強い靴、ウエ−ダ−の先端部構造を提供することである。
【課題を解決するための手段】
【０００５】
本発明の請求項１は、先端が親指収納部と他の指収納部に分かれた底材に甲材を直接接合して先端が親指収納部と他の指収納部に分かれた二股に形成したことを要旨とするものである。
【発明の効果】
【０００６】
本発明の請求項により、先端が底材に甲材を接合して形成しているため、接合部が爪先の二股内に形成されないため先端の強度が向上する。
【発明を実施するための最良の形態】
【０００７】
靴１は、底材２の上に左右の甲材３、４と前側甲材５と指股形成甲材６が固定されて形成されている。
底材２の先端は親指収納部１ｂの底部２ａと他の指収納部１ｃの底部２ｂが凹部２ｃを挟んで二股に分かれて形成されている。
指股形成甲材６は材料としてはほぼ平面状に裁断されている。
底材２上に指股形成甲材６が固定される時は、指股形成甲材６の前側中心部６ａを押し込んで底材２の凹部２ｃに固定する。
次に前側中心部６ａの左右６ｂ、６ｃを底材２の二股の内側になる親指収納部１ｂの底部２ａの縁２ｄと他の指収納部１ｃの底部２ｂの縁２ｅに指股形成甲材６の柔軟性と伸縮性を利用して材料を引っ張りながら接着剤を塗布したそれぞれの端面同志を接着で固定していく。
更に指股形成甲材６の柔軟性と伸縮性を利用して親指収納部１ｂの底部２ａの先端と側部２ｆと、他の指収納部１ｃの底部２ｂの先端と側部２ｇに左右６ｂ、６ｃの両側を固定してゆく。
このようにほぼ平面状に裁断された指股形成甲材６を底材２上に固定して行くと、甲材６が底材２側に撓んで上方に膨出した親指収納部１ｂと他の指収納部１ｃが形成される。
【実施例１】
【０００８】
以下、図示の実施例によって本発明を説明すると、図１から図５は第１実施例で図１は靴の側面図、図２は靴の斜視図、図３は靴の平面図、図４は靴底の底面図、図５は靴の分解斜視図である。
【０００９】
靴１は、底材２の上に左右の甲材３、４が固定されると共に左右の甲材３、４で筒部１ａが形成されるように固定される。
左右の甲材３、４の前側には前側甲材５が底材２の上と左右の甲材３、４の前側に固定されている。
前側甲材５の前側には一枚の親指収納部１ｂと他の指収納部１ｃを形成する指股形成甲材６が底材２の上と前側甲材５に固定される。
底材２と左右の甲材３、４と前側甲材５と指股形成甲材６は柔軟性と気密性と防水性と伸縮性を有するクロロプレ−ンゴムやポリウレタン等の発泡性ゴムや発泡合成樹脂が用いられる。
底材２の先端は親指収納部１ｂの底部２ａと他の指収納部１ｃの底部２ｂが凹部２ｃを挟んで二股に分かれて形成されている。
なお、図１のように靴１はこのままソックス状に形成する他、図１の様にソ−ルＳを取り付けてもよい。
【００１０】
指股形成甲材６は材料としてはほぼ平面状に裁断されている。
底材２上に指股形成甲材６が固定される時は、指股形成甲材６の前側中心部６ａを押し込んで底材２の凹部２ｃに固定する。
次に前側中心部６ａの左右６ｂ、６ｃを底材２の二股の内側になる親指収納部１ｂの底部２ａの縁２ｄと他の指収納部１ｃの底部２ｂの縁２ｅに指股形成甲材６の柔軟性と伸縮性を利用して材料を引っ張りながら接着剤を塗布したそれぞれの端面同志を接着で固定していく。
更に指股形成甲材６の柔軟性と伸縮性を利用して親指収納部１ｂの底部２ａの先端と側部２ｆと、他の指収納部１ｃの底部２ｂの先端と側部２ｇに左右６ｂ、６ｃの両側を固定してゆく。
このようにほぼ平面状に裁断された指股形成甲材６を底材２上に固定して行くと、甲材６が底材２側に撓んで上方に膨出した親指収納部１ｂと他の指収納部１ｃが形成される。
前記前側甲材５と指股形成甲材６は一体に形成してもよい。
【００１１】
前記のように靴の先端構造が構成されていると、先端が底材２が平面状のまま甲材６が変形して互いに周囲を接合するため、接合部が底材２に沿って底部側に形成され、二股内に入り込まずに形成される。
しだがって、親指と他の指を動かしても接合部があまり広がらず、破損が防止される。
【実施例２】
【００１２】
図６は第２実施例で図６はウエ−ダ−の斜視図である。
【００１３】
ウエ−ダ−７は胴なが部７ａの先に靴１が取り付けられている。
靴１は第１実施例と同様ソックス状に形成する他、ソ−ルＳを取り付けても良い。
他の構成は前記第１実施例と略同一である。
【産業上の利用可能性】
【００１４】
本発明は靴、ウエ−ダ−の先端部構造全般に利用できる。
【図面の簡単な説明】
【００１５】
【図１】第１実施例で、靴の側面図である。
【図２】同靴の斜視図である。
【図３】同靴の平面図である。
【図４】同靴底の底面図である。
【図５】同靴の分解斜視図である。
【図６】第２実施例で、ウエ−ダ−の斜視図である。
【符号の説明】
【００１６】
１  靴
１ｂ  親指収納部
１ｃ  他の指収納部
２  底材
３、４、５、６  甲材（６  指股形成甲材）
【図１】
2009207573.tif 000003
【図２】
2009207573.tif 000004
【図３】
2009207573.tif 000005
【図４】
2009207573.tif 000006
【図５】
2009207573.tif 000007
【図６】
2009207573.tif 000008